(57)【要約】【課題】回線切り替えスイッチを誤って切り替えた場合でも、呼の持ち切りが発生しない通信機器を提供する。【解決手段】ルータ１のＩＳＤＮ  Ｕ／ラインポート１２には、アナログ電話回線４ＡまたはＩＳＤＮ回線４Ｉのどちらか一方を接続できるが、アナログ電話回線４Ａを接続して通話中に、切り替えスイッチ２２がＩＳＤＮ回線用信号処理部４８側に切り替えられた場合に、アナログ電話回線４Ａがリバース極性であると、リバースループ回路４６に接続され、リバース開閉スイッチ４２は通常閉状態なのでループ状態となり、呼が切断されない状態（呼の持ち切り状態）となる。しかし、制御部３０は、切り替えスイッチ２２がアナログ電話回線用信号処理部２４側からＩＳＤＮ回線用信号処理部４８側に切り替えられた際に、リバース開閉スイッチ４２を一定時間開状態にするので、電話局３は呼が切断された状態と認識し、呼の持ち切りを防止できる。【選択図】図２
2008022359.tif 000002
【特許請求の範囲】
【請求項１】
アナログ電話回線またはＩＳＤＮ回線のうち一方が接続される通信回線接続ポートと、
アナログ電話機を接続するアナログ電話機用ポートと、
デジタル電話機を接続するデジタル電話機用ポートと、
前記通信回線接続ポートと前記アナログ電話機用ポートとの間に設けられ、アナログ電話信号を処理するアナログ電話回線用信号処理部と、
前記通信回線接続ポートとデジタル電話機用ポートとの間に設けられ、デジタル電話信号を処理する交流信号処理部と、ＩＳＤＮ回線のノーマル側で直流ループを形成するノーマルループ部と、前記ノーマルループ部の直流ループを開状態に保ち、発呼時に閉状態にする発呼用スイッチと、ＩＳＤＮ回線のリバース側で直流ループを形成するリバースループ部と、前記リバースループ部の直流ループを閉状態に保つリバース開閉スイッチと、を有するＩＳＤＮ回線用信号処理部と、
前記通信回線接続ポートを、前記アナログ電話回線用信号処理部またはＩＳＤＮ回線用信号処理部に接続し、外部から接続を切り替え可能な切り替えスイッチと、
前記切り替えスイッチが前記アナログ電話回線用信号処理部側からＩＳＤＮ回線用信号処理部側に切り替えられた際に、前記リバース開閉スイッチを一定時間開状態にする制御部と、
を備えた通信機器。
【発明の詳細な説明】
【技術分野】
【０００１】
本発明は、アナログ電話回線またはＩＳＤＮ回線を選択的に接続できるポートを備えたネットワーク機器に関する。
【背景技術】
【０００２】
従来、電話やＦＡＸ等の接続端末やパーソナルコンピュータ等の接続端末を、ＩＳＤＮ回線に接続するための通信機器（ＩＳＤＮ機器）があった（例えば、特許文献１参照。）。
【０００３】
近時、インターネット等のネットワーク網を利用したＩＰ電話が普及しつつある。一方、ＩＳＤＮ網は、デジタル伝送方式を採用しているので、ノイズなどの影響を受けにくく音声品質が安定しており、１本の回線に複数の経路（チャネル）を割り当てられる等の利点も多い。そのため、ＩＳＤＮ網を利用した電話回線も引き続き利用されている。また、アナログ電話回線網を利用したアナログ電話も引き続き利用されている。
【０００４】
このように、現状では電話回線が様々な形態で使用されるため、ＩＳＤＮ網だけでなくアナログ電話回線網等にも対応した通信機器が開発されている。
【０００５】
図１は、従来の通信機器の概略構成を示すブロック図である。通信機器であるルータ１０１は、ＩＳＤＮ  Ｕ／ラインポート１１２、ＴＥＬポート１１４、ＩＳＤＮ  Ｓ／Ｔポート１１６、回線切り替えスイッチ１２２、アナログ電話回線用信号処理部１２４、制御部１３０、及びＩＳＤＮ回線用信号処理部１４８を備えている。また、ＩＳＤＮ回線用信号処理部１４８は、交流信号処理部１２６、直流／交流分離フィルタ１２８、ダイオード１３２・発呼用スイッチ１３４・ノーマル側処理回路１３６から成るノーマルループ回路１３８、及びダイオード１４０・リバース側処理回路１４４から成るリバースループ回路１４６を備えている。また、ルータ１０１は、ＴＡ機能を備えており、不図示のＬＡＮポートに接続したコンピュータからＩＳＤＮ回線を介してインターネット等のネットワーク網への接続が可能である。
【０００６】
電話局３から引き込まれた回線がアナログ電話回線４Ａの場合には、直接または不図示のＡＤＳＬモデム若しくはスプリッタを介してＩＳＤＮ  Ｕ／ラインポート１１２に接続し、アナログ電話機５をＴＥＬポート１１４に接続し、回線切り替えスイッチ１２２をアナログ電話回線用信号処理部１２４側に切り替える。
【０００７】
電話局３から引き込まれた回線がＩＳＤＮ回線４Ｉの場合には、ＩＳＤＮ  Ｕ／ラインポート１１２に直接接続し、デジタル電話機７をＩＳＤＮ  Ｓ／Ｔポート１１６に接続し、回線切り替えスイッチ１２２を交流信号処理部１２６側に切り替える。
【０００８】
これにより、ルータ１０１では、電話局３から引き込まれた電話回線がアナログ電話回線４ＡであってもＩＳＤＮ回線４Ｉであっても、問題なく使用できる。
【特許文献１】特開２００３−２５９０３２号公報
【発明の開示】
【発明が解決しようとする課題】
【０００９】
周知のように、ＩＳＤＮ回線ではケーブル（回線）の極性が固定されているが、アナログ電話回線では極性が逆でも動作するので、極性が逆に配線されることがある。そのため、ルータ１０１では、以下のような問題が発生していた。
【００１０】
すなわち、図１に示したルータ１０１では、アナログ電話回線４ＡをＩＳＤＮ  Ｕ／ラインポート１１２に接続した状態で通話中に、回線切り替えスイッチ１２２をアナログ電話回線用信号処理部１２４側から交流信号処理部１２６側に誤って切り替えてしまった場合、アナログ電話機５に信号が送られなくなり無音状態となる。特にユーザ以外が回線切り替えスイッチ１２２を切り替えた場合には、ユーザは、電話が切れたか調子が悪くなって電話回線が切れたものと考えて、受話器を置いたりフックを押したりする。
【００１１】
このとき、ＩＳＤＮ  Ｕ／ラインポート１１２に接続されたアナログ電話回線４Ａ（２線ケーブル）の極性（給電電流の方向）によっては、アナログ電話回線４ＡがＩＳＤＮ  Ｕ／ラインポート１１２のノーマルループ回路１３８に接続される。また、発呼用スイッチは通常開状態にされており、ノーマルループ回路１３８は開状態なので、呼は切断される。
【００１２】
しかし、ＩＳＤＮ  Ｕ／ラインポート１１２に接続されたアナログ電話回線４Ａ（２線ケーブル）の極性が逆の場合には、アナログ電話回線４ＡがＩＳＤＮ  Ｕ／ラインポート１１２のリバースループ回路１４６に接続される。つまり、回線切り替えスイッチ１２２のスイッチ１２２ｂ→直流／交流分離フィルタ１２８→ダイオード１４０→リバース側処理回路１４４→直流／交流分離フィルタ１２８→スイッチ１２２ａという直流ループが形成されるため、呼は接続されたままの状態（呼の持ち切り状態）になる。また、回線切り替えスイッチ１２２の切り替えが一瞬で行われた場合には、電話局３は、回線の瞬断と判断するため、呼が切断されたとは判断しない。このような状況では、ユーザは、電話回線が切れていると認識しているのに、電話局３側ではまだ通話中と認識して引き続き課金している状態になる。そのため、ユーザに対する課金が継続されてしまう可能性があった。
【００１３】
そこで、本発明は、回線切り替えスイッチを誤って切り替えた場合でも、呼の持ち切りが発生しない通信機器を提供することを目的とする。
【課題を解決するための手段】
【００１４】
アナログ電話回線またはＩＳＤＮ回線のうち一方が接続される通信回線接続ポートと、
アナログ電話機を接続するアナログ電話機用ポートと、
デジタル電話機を接続するデジタル電話機用ポートと、
前記通信回線接続ポートと前記アナログ電話機用ポートとの間に設けられ、アナログ電話信号を処理するアナログ電話回線用信号処理部と、
前記通信回線接続ポートとデジタル電話機用ポートとの間に設けられ、デジタル電話信号を処理する交流信号処理部と、ＩＳＤＮ回線のノーマル側で直流ループを形成するノーマルループ部と、前記ノーマルループ部の直流ループを開状態に保ち、発呼時に閉状態にする発呼用スイッチと、ＩＳＤＮ回線のリバース側で直流ループを形成するリバースループ部と、前記リバースループ部の直流ループを閉状態に保つリバース開閉スイッチと、を有するＩＳＤＮ回線用信号処理部と、
前記通信回線接続ポートを、前記アナログ電話回線用信号処理部またはＩＳＤＮ回線用信号処理部に接続し、外部から接続を切り替え可能な切り替えスイッチと、
前記切り替えスイッチが前記アナログ電話回線用信号処理部側からＩＳＤＮ回線用信号処理部側に切り替えられた際に、前記リバース開閉スイッチを一定時間開状態にする制御部と、
を備えたことを特徴とする。
【００１５】
この構成においては、通信機器の通信回線接続ポートには、アナログ電話回線またはＩＳＤＮ回線のどちらか一方を接続できるが、アナログ電話回線が接続された状態で通話中に、切り替えスイッチがＩＳＤＮ回線用信号処理部側に切り替えられた場合、回線の極性によって、ＩＳＤＮ回線用信号処理部のノーマルループ部、またはリバースループ部のどちらかにアナログ電話回線が接続される。ノーマルループ部に接続された場合、ノーマルループ部は発呼スイッチにより直流ループが開状態に保たれているので、呼は切断される。一方、リバースループ部に接続された場合、リバースループ部は、リバース開閉スイッチにより直流ループが閉状態に保たれているので、呼が切断されない状態（呼の持ち切り状態）となる。しかし、制御部は、切り替えスイッチがアナログ電話回線用信号処理部側からＩＳＤＮ回線用信号処理部側に切り替えられた際に、リバース開閉スイッチを一定時間開状態にする。したがって、リバース開閉スイッチを開状態にする一定時間を電話局の交換機が呼の切断を認識する時間よりも長く設定しておくことで、アナログ回線を用いて通話中に誤って切り替えスイッチを操作して、リバースループ部と接続状態になった場合でも、リバースループ部は直流ループが開いた状態となり、呼が切断されるので、呼の持ち切り状態（通話状態が続いた状態）になるのを確実に防止できる。
【発明の効果】
【００１６】
本発明の通信機器によれば、通話中に回線切り替えスイッチを誤って切り替えた場合でも、呼の持ち切りが発生しないので、ユーザに対する課金が継続されてしまうのを防止できる。
【発明を実施するための最良の形態】
【００１７】
図２は、この発明の実施形態に係る通信機器の概略構成を示すブロック図である。
【００１８】
通信機器であるルータ１は、ＩＳＤＮ  Ｕ／ラインポート１２、ＴＥＬポート１４、ＩＳＤＮ  Ｓ／Ｔポート１６、回線切り替えスイッチ２２、アナログ電話回線用信号処理部２４、制御部３０、及びＩＳＤＮ回線用信号処理部４８を備えている。また、ＩＳＤＮ回線用信号処理部４８は、交流信号処理部２６、直流／交流分離フィルタ２８、ダイオード３２・発呼用スイッチ３４・ノーマル側処理回路３６から成るノーマルループ回路３８、及びダイオード４０・リバース開閉スイッチ４２・リバース側処理回路４４から成るリバースループ回路４６を備えている。また、ルータ１は、ＴＡ機能を備えており、
不図示のＬＡＮポートに接続したコンピュータからＩＳＤＮ回線を介してインターネット等のネットワーク網への接続が可能である。
【００１９】
ＩＳＤＮ  Ｕ／ラインポート１２は、電話局から引き込まれた電話回線を接続するためのポートであり、アナログ電話回線４Ａ（２線ケーブル）やＩＳＤＮ回線４Ｉ（２線ケーブル）等を接続可能である。
【００２０】
電話局３から引き込まれた回線がアナログ電話回線４Ａの場合には、直接または不図示のＡＤＳＬモデム若しくはスプリッタを介してＩＳＤＮ  Ｕ／ラインポート１２に接続し、アナログ電話機５をＴＥＬポート１４に接続し、回線切り替えスイッチ２２をアナログ電話回線用信号処理部２４側に切り替える。
【００２１】
電話局３から引き込まれた回線がＩＳＤＮ回線４Ｉの場合には、直接ＩＳＤＮ  Ｕ／ラインポート１２に接続し、デジタル電話機７をＩＳＤＮ  Ｓ／Ｔポート１６に接続し、回線切り替えスイッチ２２を交流信号処理部２６側に切り替える。
【００２２】
ＴＥＬポート１４は、アナログ電話機５を接続するポートである。
【００２３】
ＩＳＤＮ  Ｓ／Ｔポート１６は、デジタル電話機７を接続するポートである。
【００２４】
回線切り替えスイッチ２２は、ＩＳＤＮ  Ｕ／ラインポート１２と、アナログ電話回線用信号処理部２４またはＩＳＤＮ回線用信号処理部４８と、を接続する。回線切り替えスイッチ２２は、ユーザが操作することで容易に接続を切り替えられる。なお、回線切り替えスイッチ２２のスイッチ２２ａとスイッチ２２ｂは、連動しており、同時に切り替わる。
【００２５】
アナログ電話回線用信号処理部２４は、電話局３から引き込まれた電話回線がアナログ電話回線４Ａの場合に、ユーザがアナログ電話機５で通話できるようにアナログ信号の処理を行うための回路である。
【００２６】
ＩＳＤＮ回線用信号処理部４８は、電話局３から引き込まれた電話回線がＩＳＤＮ回線４Ｉの場合に、ユーザがデジタル電話機７で通話できるように信号処理を行うための回路である。
【００２７】
具体的には、交流信号処理部２６は、ユーザがデジタル電話機７で通話できるように交流信号の処理を行うための回路である。
【００２８】
直流／交流分離フィルタ２８は、ＩＳＤＮ回線４Ｉを介して送られてきた信号に含まれる直流成分を通過させるフィルタである。
【００２９】
ダイオード３２は、ＩＳＤＮ回線４ＩのＵ点における極性（給電電流）がノーマル極性で発呼用スイッチ３４が閉状態の場合に、ノーマルループ回路３８においてノーマル側処理回路３６に直流電流を供給する。
【００３０】
発呼用スイッチ３４は、通常は開状態であり、デジタル電話機７において発呼する際に、交流信号処理部２６からの信号に基づいて制御部３０により閉状態にされる。
【００３１】
ノーマル側処理回路３６は、内蔵する不図示のＴＡ等の内部回路に電力を供給する等の処理を行うことで電流を流して、電話局３に状態を通知する。
【００３２】
ダイオード４０は、ＩＳＤＮ回線４ＩのＵ点における極性（給電電流）がリバース極性でリバース開閉スイッチ４２が閉状態の場合に、リバースループ回路４６においてリバース側処理回路４４に直流電流を供給する。
【００３３】
リバース開閉スイッチ４２は、通常は閉状態であり、切り替えスイッチ２２（スイッチ２２ａ・２２ｂ）がアナログ電話回線用信号処理部２４側（端子２４Ａ・２４Ｂ側）から、ＩＳＤＮ回線用信号処理部４８（端子４８Ａ・４８Ｂ側）側に切り替えられたことを制御部３０が検出すると、一定時間開状態にされる。なお、リバース開閉スイッチ４２を開状態にする一定時間は、電話局３がアナログ電話機５の呼が切断されたと認識する時間よりも長い時間であり、例えば、３秒程度の時間に設定すると良い。
【００３４】
リバース側処理回路４４は、内蔵する不図示のＴＡ等の内部回路に電力を供給する等の処理を行うことで電流を流して、電話局３に状態を通知する。
【００３５】
制御部３０は、デジタル電話機７において発呼する際に、発呼用スイッチ３４を閉状態にする。また、制御部３０は、切り替えスイッチ２２がアナログ電話回線用信号処理部２４側からＩＳＤＮ回線用信号処理部４８側に切り替えられたことを検出すると、リバース開閉スイッチ４２を一定時間（例えば３秒）開状態にする。なお、制御部３０は、タイマ２９を内蔵しており、このタイマ２９で一定時間を計時する。
【００３６】
次に、ルータ１において、アナログ電話回線４Ａに接続して電話中の処理動作を、フローチャートに基づいて説明する。図３は、アナログ電話回線に接続して電話中におけるルータの処理動作を説明するためのフローチャートである。
【００３７】
ここで、電話局３からアナログ電話回線４Ａが引き込まれており、ルータ１のＩＳＤＮ  Ｕ／ラインポート１２には、アナログ電話回線４Ａが接続され、ＴＥＬポート１４にはアナログ電話機５が接続されている。また、回線切り替えスイッチ２２（スイッチ２２ａ・２２ｂ）は、端子２４Ａ・端子２４Ｂ側（アナログ電話回線用信号処理部２４側）に接続されている。
【００３８】
制御部３０は、ユーザがアナログ電話機５で通話中には、回線切り替えスイッチ２２の状態を監視している（ｓ１）。
【００３９】
制御部３０は、回線切り替えスイッチ２２（スイッチ２２ａ・２２ｂ）が端子２４Ａ・端子２４Ｂ側（アナログ電話回線用信号処理部２４側）から、端子４８Ａ・端子４８Ｂ側（ＩＳＤＮ回線用信号処理部４８側）に切り替えられたことを検出すると（ｓ２）、リバース開閉スイッチ４２を開状態にするとともに（ｓ３）、タイマ２９で一定時間（例えば３秒間）の計時を開始する（ｓ４）。制御部３０は、一定時間（３秒間）が経過すると（ｓ５）、リバース開閉スイッチ４２を閉状態に戻して処理を終了する（ｓ６）。
【００４０】
ルータ１において、上記の処理が行われることにより、アナログ電話回線４Ａのループが３秒間開状態になるので、電話局３では、呼が切断されたと判断し、その時点で通話に対する課金を終了する。これにより、呼の持ち切りが発生するのを防止でき、無駄に課金されるのを防ぐことができる。
【図面の簡単な説明】
【００４１】
【図１】従来の通信機器の概略構成を示すブロック図である。
【図２】この発明の実施形態に係る通信機器の概略構成を示すブロック図である。
【図３】アナログ電話回線に接続して電話中におけるルータの処理動作を説明するためのフローチャートである。
【符号の説明】
【００４２】
１，１０１−ルータ    ３−電話局    ５−アナログ電話機    ７−デジタル電話機    １２，１１２−ＩＳＤＮ  Ｕ／ラインポート    １４，１１４−ＴＥＬポート    １６，１１６−Ｓ／Ｔポート    ２２，１２２−回線切り替えスイッチ    ２４，１２４−アナログ電話回線用信号処理部    ２６，１２６−交流信号処理部    ２８，１２８−直流／交流分離フィルタ    ２９−タイマ    ３０，１３０−制御部    ３２，４０，１３２，１４０−ダイオード    ３４，１３４−発呼用スイッチ    ３６，１３６−ノーマル側処理回路    ３８，１３８−ノーマルループ回路    ４２−リバース開閉スイッチ    ４４，１４４−リバース側処理回路    ４６，１４６−リバースループ回路    ４８，１４８−ＩＳＤＮ回線用信号処理部
【図１】
2008022359.tif 000003
【図２】
2008022359.tif 000004
【図３】
2008022359.tif 000005